(57)【要約】【課題】蓋の再開放を防止できるロック機構を備えた蓋付き容器を提供することを目的とする。【解決手段】蓋部材（１）の一端を容器本体（２）の保護対象個所（３）を覆う位置と保護対象個所（３）を露出する位置とに回動自在に容器本体（２）に枢支し、容器本体（２）の主面に係止部（２ｂ）を設け、蓋部材（１）の主面にフック部（１ｂ）を設け、フック部（１ｂ）が係止部（２ｂ）に係合して再開放ができない。【選択図】図１
2010013179.tif 000002
【特許請求の範囲】
【請求項１】
容器本体と、
この容器本体の保護対象個所を覆う蓋部材と、
前記容器本体と前記蓋部材のうちの一方に形成されたフック部と、
前記容器本体と前記蓋部材のうちの他方に前記フック部に対応して形成された係止部とを設け、
前記容器本体の保護対象個所を露出させる位置に前記蓋部材を移動させた後に前記容器本体の保護対象個所を覆う位置に前記蓋部材を戻した状態で前記フック部が前記係止部に係合して前記容器本体の保護対象個所を露出させる位置に前記蓋部材を移動できないように構成した
蓋付き容器。
【請求項２】
前記蓋部材の一端を前記容器本体の保護対象個所を覆う位置と前記保護対象個所を露出する位置とに回動自在に前記容器本体に枢支し、
前記容器本体の主面に前記係止部を設け、
前記蓋部材の主面に前記フック部を設けた
請求項１記載の蓋付き容器。
【請求項３】
前記蓋部材の一端を前記容器本体の保護対象個所を覆う位置と前記保護対象個所を露出する位置とに回動自在に前記容器本体に枢支し、
前記容器本体の主面に隣接する周面に前記係止部を設け、
前記蓋部材の主面に隣接する周面に前記フック部を設けた
請求項１記載の蓋付き容器。
【請求項４】
前記容器本体の保護対象個所を覆う位置にセットされた前記蓋部材を、前記容器本体と前記蓋部材との間の摺動面に沿って摺動させることによって前記保護対象個所を露出する状態に取り外し自在に構成し、
前記容器本体と前記蓋部材のうちの一方の前記摺動面に沿った面に前記フック部を設け、
前記容器本体と前記蓋部材のうちの他方の前記摺動面に沿った面に前記係止部を設けた請求項１記載の蓋付き容器。
【発明の詳細な説明】
【技術分野】
【０００１】
本発明は、分析対象のサンプルのサンプリングや使用後の危険物の回収などに使用する容器に関するものである。
【背景技術】
【０００２】
食品や衛生用品、燃料、農薬などの薬剤等の液体保存容器や、レンタルビデオなど店頭展示用のケースなど蓋付の容器などでは、特許文献１などに見られるように、不意に、もしくは故意に容器の蓋が開くことの無いようにするための種々のロック機構付きの容器が提供されている。
【特許文献１】特許第３２０２６６２号公報
【発明の開示】
【発明が解決しようとする課題】
【０００３】
しかしながら、このような従来の構成であれば比較的容易にロック機構が解除できて、繰り返し蓋の開閉を行うことが可能となり、その結果、例えば血液など二次感染が危惧される液体や汚染物の封入、または農薬など使用済み薬品の廃棄等においては、蓋の再開放による再使用が行われることで汚染や二次感染といった重大な事故が発生するおそれがある。
【０００４】
本発明は、前記従来の課題を解決するもので、蓋の再開放を防止できるロック機構を備えた蓋付き容器を提供することを目的とする。
【課題を解決するための手段】
【０００５】
本発明の請求項１記載の蓋付き容器は、容器本体と、この容器本体の保護対象個所を覆う蓋部材と、前記容器本体と前記蓋部材のうちの一方に形成されたフック部と、前記容器本体と前記蓋部材のうちの他方に前記フック部に対応して形成された係止部とを設け、前記容器本体の保護対象個所を露出させる位置に前記蓋部材を移動させた後に前記容器本体の保護対象個所を覆う位置に前記蓋部材を戻した状態で前記フック部が前記係止部に係合して前記容器本体の保護対象個所を露出させる位置に前記蓋部材を移動できないように構成したことを特徴とする。
【０００６】
本発明の請求項２記載の蓋付き容器は、請求項１において、前記蓋部材の一端を前記容器本体の保護対象個所を覆う位置と前記保護対象個所を露出する位置とに回動自在に前記容器本体に枢支し、前記容器本体の主面に前記係止部を設け、前記蓋部材の主面に前記フック部を設けたことを特徴とする。
【０００７】
本発明の請求項３記載の蓋付き容器は、請求項１において、前記蓋部材の一端を前記容器本体の保護対象個所を覆う位置と前記保護対象個所を露出する位置とに回動自在に前記容器本体に枢支し、前記容器本体の主面に隣接する周面に前記係止部を設け、前記蓋部材の主面に隣接する周面に前記フック部を設けたことを特徴とする。
【０００８】
本発明の請求項４記載の蓋付き容器は、請求項１において、前記容器本体の保護対象個所を覆う位置にセットされた前記蓋部材を、前記容器本体と前記蓋部材との間の摺動面に沿って摺動させることによって前記保護対象個所を露出する状態に取り外し自在に構成し、前記容器本体と前記蓋部材のうちの一方の前記摺動面に沿った面に前記フック部を設け、前記容器本体と前記蓋部材のうちの他方の前記摺動面に沿った面に前記係止部を設けたことを特徴とする。
【発明の効果】
【０００９】
本発明の再使用防止ロック機構を用いた蓋付き容器であれば、使用者は蓋の開閉操作を行うだけで、蓋部材にロックがかかり再開放ができなくなるので使用済みの容器を簡単に判別することができるようになる。また誤って使用済みの容器や例えば注射器のようなものの再使用が困難となることにより、その結果として血液等からの感染や汚染といった事故を防止することも可能となる。
【００１０】
また、ディスクローターのような蓋付き容器が回転装置上で用いられても、容器の蓋部材が固定されることで遠心力により開放することを防ぐ役割も担っており、動作中の誤開放によるセンサーおよび機器の破損を未然に防ぐ効果も期待できる。
【発明を実施するための最良の形態】
【００１１】
以下、本発明の各実施の形態を図１〜図２４に基づいて説明する。
（実施の形態１）
図１〜図８は本発明の実施の形態１を示す。
【００１２】
これは血液など感染性物質とされる液体をサンプリングして分析装置にセットするために使用される蓋付き容器の場合を示している。
図１は分析対象の液体をサンプリングする際の蓋付き容器１０を示している。この蓋付き容器は、蓋部材１の一端が、容器本体２に形成されている保護対象個所としての血液吸引部３を露出する位置と、血液吸引部３を覆う位置（図５参照）とに回動自在に容器本体２の軸４にセットして枢支されている。
【００１３】
この蓋付き容器１０は蓋部材１を閉じた状態でユーザーに提供され、ユーザーは使用する際に始めて蓋部材１を図１に示すように開放し、受診者の指先を針で刺して指先に載っている血液を血液吸引部３に点着し、点着が終われば蓋部材１を閉じる。
【００１４】
そして図２に示したように分析装置１１にセットする。図３、図４は、蓋付き容器１０を分析装置１１のターンテーブル１２とドア１３との間に挟んで保持して回転して分析中の状態をあらわしている。１４はモータ、１５は光学的読み取り装置である。なお、図１では図２〜図４で見られる蓋付き容器１０の主面上の突部１０ａ，１０ｂは図示が省略されている。
【００１５】
図５はユーザーに提供された未使用の蓋付き容器１０を示している。
容器本体２の主面２ａに係止部としての係止片２ｂが設けられ、蓋部材１の主面１ａにはフック部１ｂが設けられている。図６はこのときの係止片２ｂとフック部１ｂの部分の拡大図を示している。この未使用の状態では、フック部１ｂにはこのフック部１ｂを弾性変形させる応力が作用していない状態または弾性変形させる応力が殆ど作用していない状態にあって、蓋付き容器１０を使用前に長期保存した場合においても樹脂変形による機能低下を生じることがない。
【００１６】
血液のサンプリングに際して、容器本体２の軸４を中心に蓋部材１を矢印１６方向に開くと、図７（ａ）（ｂ）に示すように、フック部１ｂの先端が容器本体２の係止片２ｂの第１の摺動面２ｃに沿ってフック部１ｂが弾性変形しながら矢印１７方向にスライドし、ついには図７（ｃ）に示すようにフック部１ｂの先端が係止片２ｂから外れて前記弾性変形が再び解除される。蓋部材１を全開することで図１のように容器本体２の血液吸引部３が露出する。
【００１７】
血液を血液吸引部３に点着してから、容器本体２の軸４を中心に蓋部材１を矢印１８方向に閉じると、図８（ａ）（ｂ）に示すように係止片２ｂの第２の摺動面２ｄに沿ってスライドしながらフック１ｃが係止片２ｂに乗り上げてフック部１ｂが矢印１９方向に弾性変形する。ついには図８（ｃ）に示すようにフック部１ｂの先端のフック１ｃが係止片２ｂを乗り越えてフック部１ｂの弾性によって、フック１ｃが係止片２ｂの底部２ｅに係合する。
【００１８】
この図８（ｃ）に示すようにフック部１ｂが係止片２ｂの底部２ｅに係合してロックされた状態で分析装置１１での分析に供された蓋付き容器１０は、蓋部材１の再度の開放を試みても、前記ロックされた状態のために容易には開放することができない。
【００１９】
また、蓋部材１のロック機構が働くことで、分析装置１１における分析中の遠心力による蓋部材１の誤開放も防止され、蓋付き容器１０や分析装置１１の破損を未然に防ぐこともできる。
【００２０】
測定後、使用済みの蓋付き容器は速やかに廃棄されることが望ましいが、もし誤って再使用を試みても再使用防止機構を有した蓋部材１により容易には蓋を開放することができなくなり、ユーザーの誤使用による二次感染や血液汚染を防止できる。このような、主に血液を貯留する蓋付き容器は、内部に血液を分析するための電極、酵素、色素やメディエーターといった化学物質を内包しており、使い捨てセンサーとして簡便な方法による分析を可能にしているが、必ずしも血液に限らず、尿や汗を用いた健康管理、もしくは環境化学分析などに使う場合にも再使用防止を実現することは有用である。
【００２１】
なお、蓋部材１を成形する樹脂材料としては、柔軟性が必須であるが、ＰＰ、ＰＥ、ＡＢＳ、ＰＯＭなどであれば十分であるが、この限りではない。
この実施の形態１では、蓋部材１にフック部１ｂを設け、容器本体２に係止片２ｂを設けたが、容器本体２にフック部１ｂを設け、蓋部材１に係止片２ｂを設けて構成することも出来る。
【００２２】
（実施の形態２）
図９〜図１５は本発明の実施の形態２を示す。また、図２２〜図２３は変形例を示す。
実施の形態１の蓋付き容器では、蓋付き容器１０の主面上にフック部１ｂと係止片２ｂを設けたが、この実施の形態２では図９と図１０に示すように蓋付き容器１０の主面に隣接する周面２０にフック部１ｂと係止片２ｂが設けられている。
【００２３】
図９は血液のサンプリングに際して蓋部材１を開いて血液吸引部３を露出させた状態を示している。図１０は図９のように蓋部材１を開く前の状態を示している。
図１１に示すように、蓋部材１の周面にはフック部１ｂが形成されている。容器本体２の周面には山形の突部２ｆと第１，第２のガイド壁２ｇ，２ｈが形成されている。
【００２４】
突部２ｆの蓋部材１の回動経路に沿う方向の断面Ａを図１２に示す。この突部２ｆは、蓋部材１を開放する方向に登り勾配の第１の傾斜面２ｆ１と、第１の傾斜面２ｆ１の頂上２ｆｆに接続されており蓋部材１を開放する方向に下り勾配の第２の傾斜面２ｆ２とで構成されている。
【００２５】
第２のガイド壁２ｈには、第１のガイド壁２ｇと向き合った内側ガイド面２ｈ１と、突部２ｆの第２の傾斜面２ｆ２とはガイド面の向きを９０°異ならせて突部２ｆの外周側に形成された側面ガイド面２ｈ２と、側面ガイド面２ｈ２の前記第２の傾斜面２ｆ２は反対側の端部に形成された凹部２ｈ３とが形成されている。側面ガイド面２ｈ２は、第２の傾斜面２ｆ２の側の一端から凹部２ｈ３にかけて蓋付き容器１０の外周側に近づくように次第に傾斜している。
【００２６】
蓋部材１を開く前の状態では、図１３と図１４に示すように蓋部材１のフック部１ｂの先端のフック１ｃが、容器本体２の突部２ｆの第１の傾斜面２ｆ１を乗り越えて停止している。この未使用の状態では、フック部１ｂにはこのフック部１ｂを弾性変形させる応力が作用していない状態または弾性変形させる応力が殆ど作用していない状態にあって、蓋付き容器１０を使用前に長期保存した場合においても樹脂変形による機能低下を生じることがない。
【００２７】
この状態から容器本体２の軸４を中心に蓋部材１を開いていくと、フック１ｃは第１の傾斜面２ｆ１を頂上に向かって摺動して図１５（ａ）に示すように蓋付き容器１０の厚み方向に次第にフック部１ｂが弾性変形するとともに、第２のガイド壁２ｈの内側ガイド面２ｈ１によって蓋付き容器１０の内側にフック部１ｂが押し込まれて弾性変形しながら摺動する。フック１ｃが内側ガイド面２ｈ１を通過すると、フック部１ｂに作用していた蓋付き容器１０の内側に押し込む方向の弾性変形が解除され、さらに蓋部材１が開かれることによって、フック１ｃは第２の傾斜面２ｆ２を摺動して、ついにはフック部１ｂと突部２ｆとの係合が解除されて、フック部１ｂにいかなる応力もかからない状態になる。仮想線Ｊがこのときのフック部１ｂの移動経路を示している。
【００２８】
なお、第２の傾斜面２ｆ２は蓋部材１を未使用状態にセットするために蓋部材１を閉じる際に有効に作用する。
受診者の指先を針で刺して指先に載っている血液を血液吸引部３に点着し、点着が終われば蓋部材１を閉じる。この際には、蓋部材１の先端のフック１ｃは、図１５（ｂ）に示すように側面ガイド面２ｈ２に沿って外周方向に押し出されて次第に弾性変形し、ついには図１５（ｃ）に示すようにフック１ｃが、側面ガイド面２ｈ２の終端位置に形成された係止部としての凹部２ｈ３にフック部１ｂの弾性力によって係合する。この図１５（ｃ）の状態では、再使用防止機構が働いて再使用が容易ではなくなっている状態を表している。
【００２９】
なお、図１４の仮想線で示すフック部１ｂは、フック１ｃが凹部２ｈ３に係合する直前の水平方向に最大に弾性変形した状態を示している。
このように、蓋部材１の開放時においては容器本体２の側に設けられた突部２ｆに乗り上げ、平面に対して垂直な方向に弾性変形を生じることで、比較的抵抗が少なく蓋部材１の開放が実現できる。
【００３０】
次に、蓋部材１を閉じる際にはフック部１ｂは、側面ガイド面２ｈ２に案内されて水平方向に外側（矢印２１方向）に向かって、フック部１ｂの基端を中心に弾性変形することで、フック１ｃが凹部２ｈ３に係合して容易には開放できない状態が作られる。これにより、使用者は再使用によるトラブルから解放される。
【００３１】
この実施の形態２に示したロック機構では、蓋部材１の開閉に伴うフック部１ｂの動きが、平面に対して垂直な動きと平行な動きが組み合わされることにより、平面方向のみで同様の機能を実現した場合に比較して、フック部１ｂの基端からのたわみ量が最大６０％少なくでき、例えばフック部１ｂの長さＬ１が８ｍｍ、厚み２２が１ｍｍ、容器本体２の軸４からフック部１ｂまでの距離が４６ｍｍのときであれば図１４で表すたわみ量２３が、実施の形態１のロック機構では２．５ｍｍであったものが、１．７ｍｍと３２％少なくできる。
【００３２】
なお、蓋部材１を成形する樹脂材料としては、柔軟性が必須であるが、ＰＰ、ＰＥ、ＡＢＳ、ＰＯＭなどであれば十分であるが、この限りではない。
この実施の形態１では、蓋部材１にフック部１ｂを設け、容器本体２に係止片２ｂを設けたが、容器本体２にフック部１ｂを設け、蓋部材１に係止片２ｂを設けて構成することも出来る。
【００３３】
次に図２２〜図２４に示す変形例を説明する。
図９〜図１５に示した実施の形態２では、図１１〜図１５に示したように突部２ｆと第１のガイド壁２ｇが容器本体２に形成されていたが、図２２〜図２３に示す変形例では、図１２に示した山形の突部２ｆと第１のガイド壁２ｇが設けられていない。同じ作用を成すものには図９〜図１５と同一の符号を付けて説明する。
【００３４】
具体的には、蓋部材１を開く前の状態では図２２と図２３に示すように、蓋部材１のフック部１ｂの先端のフック１ｃが、第２のガイド壁２ｈの内側ガイド面２ｈ１の内側に位置して停止している。この未使用の状態では、フック部１ｂにはこのフック部１ｂを弾性変形させる応力が作用していない状態または弾性変形させる応力が殆ど作用していない状態にあって、蓋付き容器１０を使用前に長期保存した場合においても樹脂変形による機能低下を生じることがない。
【００３５】
この状態から容器本体２の軸４を中心に蓋部材１を開いていくと、フック１ｃは摺動して内側ガイド面２ｈ１によって図２４（ａ）に示すように蓋付き容器１０の内側にフック部１ｂが押し込まれて弾性変形しながら摺動する。蓋付き容器１０の内側にフック部１ｂを押し込む方向の弾性変形は、フック１ｃと第２のガイド壁２ｈとの当接が解除される時点まで続いて、フック１ｃが内側ガイド面２ｈ１を通過すると、フック部１ｂに作用していた蓋付き容器１０の内側に押し込む方向の弾性変形が解除される。
【００３６】
蓋部材１を閉じる際には、蓋部材１の先端のフック１ｃは、図２４（ｂ）に示すように側面ガイド面２ｈ２に沿って外周方向に押し出されて次第に弾性変形し、ついには図２４（ｃ）に示すようにフック１ｃが、側面ガイド面２ｈ２の終端位置に形成された凹部２ｈ３にフック部１ｂの弾性力によって係合する。
【００３７】
（実施の形態３）
図１６〜図２０は本発明の実施の形態３を示す。
実施の形態１と実施の形態２では、蓋部材１の一端を容器本体２の保護対象個所を覆う位置と保護対象個所を露出する位置とに回動自在に容器本体２に枢支した蓋付き容器を説明したが、この実施の形態３では、容器本体２の保護対象個所を覆う位置にセットされた前記蓋部材１を、容器本体２と蓋部材１との間の摺動面に沿って摺動させることによって保護対象個所を露出する状態に取り外し自在に構成した蓋付き容器１０Ｂの場合を説明する。
【００３８】
分析に必要な血液を得るためには、穿刺器具を使用して受診者が自身の指先を刺して少量の血液を得ている。この蓋付き容器１０Ｂは、穿刺器具で使用した複数の使用済みの穿刺針を廃棄に際して収めることが出来る。
【００３９】
図１６と図１７または図２０に示すように、蓋部材１は容器本体２の開口側の周囲に形成された挿入用ガイド２４に外嵌して容器本体２の開口を閉塞することが出来る。
容器本体２の挿入用ガイド２４の一部には、係止片２ｉが形成されている。係止片２ｉに対応して蓋部材１の一部に切り欠き１ｈを形成して、挿入用ガイド２４に沿った面にフック部１ｄが形成されている。
【００４０】
図１７は未使用の蓋付き容器１０Ｂを示している。
蓋部材１を開く前の状態では、図１８にも示すように蓋部材１のフック部１ｄの先端のフック１ｅの第１の傾斜部１ｆが、容器本体２の係止片２ｉの第１の傾斜面２ｊに係合している。なお、この未使用の状態では、フック部１ｂにはこのフック部１ｂを弾性変形させる応力が作用していない状態または弾性変形させる応力が殆ど作用していない状態にあって、蓋付き容器１０Ｂを使用前に長期保存した場合においても樹脂変形による機能低下を生じることがない。
【００４１】
容器本体２に対して蓋部材１を矢印２５方向に持ち上げると、フック１ｅの第１の傾斜部１ｆが係止片２ｉの第１の傾斜面２ｊの上を摺動してフック部１ｄが仮想線で示すように弾性変形してフック部１ｄの先端は図１８に矢印２６で示すように外側に移動し、ついにはフック１ｅが係止片２ｉから外れる。
【００４２】
容器本体２が使用済みの穿刺針によって定量になって蓋部材１を容器本体２に挿入（矢印２７方向）していくと、弾性変形が解除された状態のフック部１ｄは、図１９に示すようにフック１ｅの傾斜した底部１ｇが係止片２ｉの上面に形成されている第２の傾斜面２ｋに当接する。さらに蓋部材１を容器本体２に挿入していくと、フック１ｅの底部１ｇが係止片２ｉの第２の傾斜面２ｋの上面を摺動してフック部１ｄが仮想線で示すように弾性変形し、フック１ｅが矢印２７で示すように外側に移動し、ついにはフック部１ｄが係止片２ｉから外れて、フック部１ｄの弾性力によってフック１ｅが図２０に示すように係止部としての係止片２ｉの凹部２ｍに係合する。この図２０に示す状態では、再使用防止機構が働いて再使用が容易ではなくなっている状態を表している。
【００４３】
（実施の形態４）
図２１は本発明の実施の形態４を示す。
実施の形態３では蓋部材１に切り欠き１ｈを形成してフック部１ｄを一体に形成したが、この図２１に示す蓋付き容器１０Ｂの場合には、フック部１ｄの材質と蓋部材１の材質とが異なっている。具体的には、フック部１ｄは腕１ｉが蓋部材１とは異なる材質の棒状体で形成され、この腕１ｉの先端に所定の形状の樹脂製のフック１ｅが連結されている。
図２１の未使用の状態では、腕１ｉにはこの腕１ｉを弾性変形させる応力が作用していない状態または弾性変形させる応力が殆ど作用していない状態にあって、蓋付き容器１０Ｂを使用前に長期保存した場合においても樹脂変形による機能低下を生じることがない。
【００４４】
このように、柔軟な弾性変形が要求される腕１ｉの部分を蓋部材１よりも柔軟な材料で形成したり、または金属であればその特性を生かして細くしてしなやかな構成とすることで、再使用防止機構を実現することが可能となる。
【００４５】
また、金属製の腕１ｉを蓋部材１にインサートするだけでなく、蓋部材１とは異なる材料、例えばエラストマーであるブタジエンゴムなどでフック１ｅから腕１ｉまでを形成し、蓋部材１に嵌合や接着剤による接着によりロック機構を実現しても良い。
【００４６】
なお、実施の形態３，実施の形態４では、蓋部材１にフック部１ｄを設け、容器本体２に係止片２ｂを設けたが、容器本体２にフック部１ｄを設け、蓋部材１に係止片２ｂを設けて構成することも出来る。
【産業上の利用可能性】
【００４７】
本発明は、感染や危険性のある物質との接触による二次感染や汚染物質による汚染の防止に寄与することが出来る。更には、使用中の蓋付き容器が回転する場合には、遠心力による誤開放を防止し、蓋付き容器および回転装置や各種分析装置の破損を防止し、安全性の向上を期待できる。
【図面の簡単な説明】
【００４８】
【図１】本発明の実施の形態１の蓋付き容器の蓋部材を開放した使用状態の斜視図
【図２】同実施の形態の蓋付き容器を分析装置にセットする状態を説明する斜視図
【図３】図２の断面図
【図４】分析装置で分析中の断面図
【図５】同実施の形態の蓋付き容器の未使用状態の斜視図
【図６】図５の要部の拡大図
【図７】同実施の形態の蓋付き容器の蓋部材を開放する過程の要部拡大図
【図８】同実施の形態の蓋付き容器の蓋部材を閉塞する過程の要部拡大図
【図９】本発明の実施の形態２の蓋付き容器の蓋部材を開放した使用状態の斜視図
【図１０】同実施の形態の蓋付き容器の未使用状態の斜視図
【図１１】同実施の形態の蓋付き容器の分解斜視図
【図１２】図１１におけるＡ断面図
【図１３】図１０の要部の拡大図
【図１４】同実施の形態の蓋付き容器の未使用状態の要部の拡大平面図
【図１５】同実施の形態の蓋付き容器の蓋部材を開放して閉塞する過程の要部拡大図
【図１６】本発明の実施の形態３の蓋付き容器の蓋部材を開放した使用状態の斜視図
【図１７】同実施の形態の蓋付き容器の未使用状態の斜視図
【図１８】同実施の形態の蓋付き容器の蓋部材を開放する過程中の要部拡大図
【図１９】同実施の形態の蓋付き容器の蓋部材を閉塞する過程中の要部拡大図
【図２０】同実施の形態の蓋付き容器の使用済み状態の斜視図
【図２１】本発明の実施の形態４の蓋付き容器の要部の斜視図
【図２２】本発明の実施の形態２の変形例の要部の拡大斜視図
【図２３】本発明の実施の形態２の同変形例の要部の拡大平面図
【図２４】本発明の実施の形態２の同変形例の開放して閉塞する過程の要部拡大図
【符号の説明】
【００４９】
１    蓋部材
１ａ    蓋部材１の主面
１ｂ    フック部
１ｃ    フック
１ｄ    フック部
１ｆ    フック１ｅの第１の傾斜部
１ｇ    フック１ｅの傾斜した底部
１ｈ    蓋部材１の切り欠き
１ｉ    フック部１ｄの腕
２    容器本体
２ａ    容器本体２の主面
２ｂ    係止片（係止部）
２ｃ    係止片２ｂの第１の摺動面
２ｄ    係止片２ｂの第２の摺動面
２ｅ    係止片２ｂの底部
２ｆ    突部
２ｆ１    第１の傾斜面
２ｆ２    第２の傾斜面
２ｇ，２ｈ    第１，第２のガイド壁
２ｈ１    内側ガイド面
２ｈ２    側面ガイド面
２ｈ３    凹部（係止部）
２ｉ    係止片（係止部）
２ｊ    係止片２ｉの第１の傾斜面
２ｋ    係止片２ｉの上面に形成されている第２の傾斜面
２ｍ    係止片２ｉの凹部
３    血液吸引部（保護対象個所）
４    軸
１０，１０Ｂ    蓋付き容器
１０ａ，１０ｂ    突部
１１    分析装置
１２    ターンテーブル
１３    ドア
１４    モータ
１５    光学的読み取り装置
２０    周面
２４    挿入用ガイド
【図１】
2010013179.tif 000003
【図２】
2010013179.tif 000004
【図３】
2010013179.tif 000005
【図４】
2010013179.tif 000006
【図５】
2010013179.tif 000007
【図６】
2010013179.tif 000008
【図７】
2010013179.tif 000009
【図８】
2010013179.tif 000010
【図９】
2010013179.tif 000011
【図１０】
2010013179.tif 000012
【図１１】
2010013179.tif 000013
【図１２】
2010013179.tif 000014
【図１３】
2010013179.tif 000015
【図１４】
2010013179.tif 000016
【図１５】
2010013179.tif 000017
【図１６】
2010013179.tif 000018
【図１７】
2010013179.tif 000019
【図１８】
2010013179.tif 000020
【図１９】
2010013179.tif 000021
【図２０】
2010013179.tif 000022
【図２１】
2010013179.tif 000023
【図２２】
2010013179.tif 000024
【図２３】
2010013179.tif 000025
【図２４】
2010013179.tif 000026